(57)【要約】【課題】水道水を電解してアルカリ性水を生成し、水質を浄化する電解水を生成するポット型浄水器を提供する。【解決手段】電解水を生成するポット型浄水器の給水ケース３は、ポット１の中に配置され、給水ケース３の底側に設けられた排水孔の底部には、電解ユニット４が取り付けられている。電解ユニット４の底部には、フィルタ芯５が取り付けられている。ポット１には、電子制御ユニット７と接続された蓄電装置６が配置されている。電子制御ユニット７は、電解ユニット４と接続されている。【選択図】図１
0003158564.tif 000002
【実用新案登録請求の範囲】
【請求項１】
給水ケースは、ポットの中に配置され、
前記給水ケースの底側に設けられた排水孔の底部には、電解ユニットが取り付けられ、
前記電解ユニットの底部には、フィルタ芯が取り付けられ、
前記ポットには、電子制御ユニットと接続された蓄電装置が配置され、
前記電子制御ユニットは、前記電解ユニットと接続されていることを特徴とする電解水を生成するポット型浄水器。
【請求項２】
前記電解ユニットには、電解槽が設けられ、
前記電解槽の中には、２つの電極リングが取り付けられ、
前記電解槽には、酸性水の排水管及びアルカリ性水の排水管がそれぞれ設けられていることを特徴とする請求項１に記載の電解水を生成するポット型浄水器。
【請求項３】
給水ケースは、ポットの中に配置され、
前記給水ケースの底側に設けられた排水孔の底部には、フィルタ芯が取り付けられ、
前記フィルタ芯の底部には、電解ユニットが取り付けられ、
前記ポットには、電子制御ユニットと接続された蓄電装置が配置され、
前記電子制御ユニットは、前記電解ユニットと接続されていることを特徴とする電解水を生成するポット型浄水器。
【考案の詳細な説明】
【技術分野】
【０００１】
本考案は、電解水を生成するポット型浄水器に関し、特に、水道水を電解してアルカリ性水を生成し、水質を浄化する電解水を生成するポット型浄水器に関する。
【背景技術】
【０００２】
アルカリ性の電解水は、体内の酸性毒を中和し、人体内のラジカルを有効に除去すると、電解された水の中にあるカルシウム、カリウム、マグネシウム、ナトリウムなどのプラスイオンがカソード電極により吸着され、水酸化イオンが増えてアルカリ性となる。そのため、電解水を飲んだ後、人体により吸収され、人体中のラジカルが減ると、酸性体質を改善し、重い病気にかかることを防ぐことができる。
【０００３】
そのため、何時でも何処でも手軽に飲用することができる電解水を生成するポット型浄水器が求められていた。
【考案の概要】
【考案が解決しようとする課題】
【０００４】
本考案の目的は、水道水を電解してアルカリ性水を生成し、水質を浄化する電解水を生成するポット型浄水器を提供することにある。
【課題を解決するための手段】
【０００５】
上記課題を解決するために、本考案の第１の形態によれば、給水ケースは、ポットの中に配置され、前記給水ケースの底側に設けられた排水孔の底部には、電解ユニットが取り付けられ、前記電解ユニットの底部には、フィルタ芯が取り付けられ、前記ポットには、電子制御ユニットと接続された蓄電装置が配置され、前記電子制御ユニットは、前記電解ユニットと接続されていることを特徴とする電解水を生成するポット型浄水器が提供される。
【０００６】
また、前記電解ユニットには、電解槽が設けられ、前記電解槽の中には、２つの電極リングが取り付けられ、前記電解槽には、酸性水の排水管及びアルカリ性水の排水管がそれぞれ設けられていることが好ましい。
【０００７】
本考案の第２の形態によれば、給水ケースは、ポットの中に配置され、前記給水ケースの底側に設けられた排水孔の底部には、フィルタ芯が取り付けられ、前記フィルタ芯の底部には、電解ユニットが取り付けられ、前記ポットには、電子制御ユニットと接続された蓄電装置が配置され、前記電子制御ユニットは、前記電解ユニットと接続されていることを特徴とする電解水を生成するポット型浄水器が提供される。
【考案の効果】
【０００８】
本考案の電解水を生成するポット型浄水器は、水道水を電解してアルカリ性水を生成し、水質を浄化することができる。
【図面の簡単な説明】
【０００９】
【図１】本考案の一実施形態による電解水を生成するポット型浄水器を示す分解斜視図である。
【図２】本考案の一実施形態による電解水を生成するポット型浄水器を示す断面図である。
【図３】本考案の一実施形態による電解水を生成するポット型浄水器を使用するときの状態を示す断面図である。
【図４】本考案の一実施形態による電解水を生成するポット型浄水器を使用するときの状態を示す断面図である。
【図５】本考案の一実施形態による電解水を生成するポット型浄水器を使用するときの状態を示す断面図である。
【図６】本考案の他の実施形態による電解水を生成するポット型浄水器を使用するときの状態を示す断面図である。
【考案を実施するための形態】
【００１０】
まず、図１及び図２を参照する。図１及び図２に示すように、本考案の一実施形態による電解水を生成するポット型浄水器は、ポット１、カバー２、給水ケース３、電解ユニット４、フィルタ芯５、蓄電装置６及び電子制御ユニット７を含む。
【００１１】
ポット１は、ハンドル１１及び注ぎ口１２を有し、側部に取り外し可能な酸性水の受けカップ１３が設けられている。
【００１２】
カバー２は、ポット１を覆うように配置されている。
【００１３】
給水ケース３は、水道水エリア及び浄水エリアに分けられたポット１の中に配置され、上から下方向にかけて小さくなるように形成された給水緩衝領域３１の底部には、不純物を取り除くために用いるフィルタが設けられた排水孔３２が形成されている。
【００１４】
電解ユニット４は、排水孔３２の底部に取り付けられ、電解槽４１を有する。電解槽４１の中には、パラジウム金属が蒸着されたチタン管からなる内側及び外側にそれぞれ設けられた電極リング４２が配置されている。電極リング４２は、０．５ｍｍの間隔で内側及び外側に配置されている。この電解槽４１は、酸性水の受けカップ１３に連通した酸性水の排出管４３と、フィルタ芯５と連通したアルカリ性水の排水管４４とがそれぞれ設けられている。
【００１５】
フィルタ芯５は、電解ユニット４の底部に取り付けられ、上から下方向にかけて金属製フィルタ、顆粒活性炭５１、金属製フィルタ及び臭素含有殺菌カートリッジ５２（又は中空糸膜）が順次配置されている。
【００１６】
蓄電装置６は、ポットに取り付けられ、電気的に接続された蓄電電極、蓄電回路及び蓄電池を含む。蓄電回路は、電子制御ユニットの制御回路と電気的に接続されている。
【００１７】
電子制御ユニット７は、ポット１上に取り付けられ、清水及びアルカリ性水のスイッチに接続された制御回路を含む。制御回路は、電解ユニット４の内側及び外側の２つの電極リング４２と電気的に接続されている。
【００１８】
図２及び図３を参照する。図２及び図３に示すように、実際に使用する際、電子制御ユニット７のアルカリ性水のスイッチを押圧すると、電解ユニット４の内側及び外側の２つの電極リング４２により正電気及び負電気が生成される。この際、電子制御ユニット７により、電解ユニット４の２つの電極リング４２が出力する電圧出力（約３〜１２Ｖ）を制御し、２つの電極リング４２により水中の電気伝導率（ＥＣ：Ｅｌｅｃｔｒｉｃａｌ  Ｃｏｎｄｕｃｔｉｖｉｔｙ）を測定してから、電圧出力の大きさを決定する。ここで、必要な出力電圧は、水道水の電気伝導率が高いほど低い。
【００１９】
続いて、カバー２を開いて、給水ケース３の中へ入れた清水は、給水緩衝領域３１の底部に設けた排水孔３２から、下方に設けたフィルタにゆっくりと流入し、水中の不純物の初期濾過を行う。
【００２０】
続いて、フィルタを通ることにより、大きな粒子が濾過された水道水は、下方に配置された電解ユニット４の箇所に導流し、正電気及び負電気の内側及び外側の２つの電極リング４２は、以下のように水道水を電解する。
【００２１】
２Ｈ2Ｏ→４Ｈ+＋Ｏ2＋４ｅ-（アノード電極／酸性水）
２Ｈ2Ｏ＋２ｅ-→２ＯＨ-＋Ｈ2（カソード電極／アルカリ性水）
【００２２】
水道水を電解した後、電極リング４２の表面をそれぞれ流れる酸性水及び酸素と、電極リング４２の表面を流れるアルカリ性水及び水素とが生成され、酸とアルカリとが分離された酸性水は、電解槽４１と連通した酸性水の排出管４３により、酸性水の受けカップ１３の中に流入する。アルカリ性水は、アルカリ性水の排水管４４によりフィルタ芯５に流入する。酸性水とアルカリ性水との排出量は、本実施形態では１：５又は１：７に調整されている。
【００２３】
続いて、アルカリ性水は、フィルタ芯５の中に設けた金属製フィルタ、顆粒活性炭５１及び臭素含有殺菌カートリッジ５２（又は中空糸膜）により、アルカリ性水の中にある不純物、塩素、重金属、有機汚染物、異味、細菌などを濾過して浄化した後、ポット１の中に流入する。
【００２４】
その後、図４及び図５に示すように、濾過されたアルカリ性水を利用する際は、ポット１が有するハンドル１１を握持して傾け、ポット１の中にあるアルカリ性水を注ぎ口１２から注ぎ出し、直接飲用したり、沸騰して利用したりすることができる。また、酸性水の受けカップ１３に排出された酸性水は、清掃、洗浄、殺菌に用いたり、希釈して美容用ローションとして用いたりしてもよい。
【００２５】
蓄電装置６の蓄電池は、電源を使い終わって充電する場合、電源トランスと蓄電電極とを接続し、商用電源を電源トランスに通して交流電気を直流電気に変換し、蓄電池を充電することができる。そのため、外出の際に携帯し、自宅以外の場所でもアルカリ性のきれいな水を飲用することができる。
【００２６】
図６を参照する。図６に示すように、本考案の他の実施形態による電解水を生成するポット型浄水器は、電解ユニット４とフィルタ芯５との位置を交換して取り付け、給水ケース３の排水孔３２の底側へ、電解ユニット４を底部に有するフィルタ芯５を取り付ける。水道水は、このフィルタ芯５により、不純物、塩素、重金属、有機汚染物、異味、細菌などを濾過してから電解を行う。これにより、電極リング４２が汚れることを防ぐことができる上、電極リング４２が汚れた場合でも、クエン酸水溶液で拭いてきれいにすることができる。これにより、電極リング４２の使用寿命を延ばすことができる。
【００２７】
また、他の実施形態では、酸性水の受けカップ１３をポット１の底部に取り付けてもよい。
【００２８】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２９】
１  ポット
２  カバー
３  給水ケース
４  電解ユニット
５  フィルタ芯
６  蓄電装置
７  電子制御ユニット
１１  ハンドル
１２  注ぎ口
１３  酸性水の受けカップ
３１  給水緩衝領域
３２  排水孔
４１  電解槽
４２  電極リング
４３  酸性水の排出管
４４  アルカリ性水の排水管
５１  活性炭
５２  殺菌カートリッジ
【図１】
0003158564.tif 000003
【図２】
0003158564.tif 000004
【図３】
0003158564.tif 000005
【図４】
0003158564.tif 000006
【図５】
0003158564.tif 000007
【図６】
0003158564.tif 000008